(57)【要約】【課題】特定入賞領域へ誘導される遊技球の挙動を複雑に変化させることができ、遊技の興趣を高めることができる遊技機を提供する。【解決手段】変動入賞装置は、遊技球を特定入賞領域３２へ向けて誘導可能な誘導装置３３を備え、該誘導装置３３は、第１回転体５３と、第１回転体５３を内包し、第１回転体５３とは異なる回転動作で回転する第２回転体５４と、遊技球を第２回転体５４上へ配置可能な吸着機構５５とを備え、吸着機構５５は、第１回転軸５８または第２回転軸６４の延設方向に沿って移動可能な磁性体７０と、第１回転体５３および／または第２回転体５４の回転動作に伴って磁性体７０を移動してその収納位置を変更可能な位置変更作用部７２とを備え、磁性体７０により遊技球を吸着して第２回転体５４の外周面上へ配置し、この配置状態で第１回転体５３および／または第２回転体５４を回転して遊技球を特定入賞領域３２へ向けて誘導可能とした。【選択図】図７
2008079681.tif 000002
【特許請求の範囲】
【請求項１】
遊技盤に取り付けるための取付基板と、該取付基板の裏面側に前方を開放した状態で形成された凹室と、該凹室内に遊技球を受け入れない第１状態と受け入れる第２状態とに変換可能な可動部材と、凹室内に設けられ、遊技球が入賞可能な一般入賞領域および特定入賞領域と、を具備する変動入賞装置を備え、
始動条件の成立に基づき前記可動部材を第２状態へ変換する補助遊技を実行し、該補助遊技の結果として変動入賞装置内に受け入れられた遊技球が特定入賞領域へ入賞した場合に、遊技者にとって有利な特別遊技状態を発生する遊技機において、
前記変動入賞装置は、凹室の下部に、可動部材により受け入れられた遊技球が転動可能な球転動部を設け、該球転動部の上方に特定入賞領域を設定し、該特定入賞領域と球転動部との間には、遊技球を特定入賞領域へ向けて誘導可能な誘導手段を備え、
該誘導手段は、
横向きに設定された第１回転軸を中心に回転する第１回転体と、
該第１回転体を内包し、第１回転軸の延設方向に沿って設定された第２回転軸を中心に第１回転体とは異なる回転動作で回転する第２回転体と、
遊技球を吸着して第２回転体の外周面上へ配置可能な吸着機構と、を備え、
該吸着機構は、
遊技球を磁力により吸着可能であり、第１回転軸または第２回転軸の延設方向に沿って移動可能な状態で収納された磁性体と、
前記第１回転体および／または第２回転体の回転動作に伴って磁性体との距離を異ならせることで該磁性体を移動してその収納位置を変更可能な位置変更作用部と、を備え、
前記磁性体により球転動部上の遊技球を吸着して第２回転体の外周面上へ配置し、この配置状態で第１回転体および／または第２回転体を回転して遊技球を特定入賞領域へ向けて誘導可能としたことを特徴とする遊技機。
【請求項２】
前記吸着機構は、第１回転体に磁性体を備えるとともに、第２回転体に位置変更作用部を備え、
前記磁性体により球転動部上の遊技球を吸着して第２回転体の外周面上へ配置し、この配置状態で第１回転体を回転して遊技球を特定入賞領域へ向けて誘導可能としたことを特徴とする請求項１に記載の遊技機。
【請求項３】
前記吸着機構は、第２回転体に磁性体を備えるとともに、第１回転体に位置変更作用部を備え、
前記磁性体により球転動部上の遊技球を吸着して第２回転体の外周面上へ配置し、この配置状態で第２回転体を回転して遊技球を特定入賞領域へ向けて誘導可能としたことを特徴とする請求項１に記載の遊技機。
【請求項４】
前記位置変更作用部は、磁性体の収納位置を入賞可能位置と入賞不能位置とに変更可能であり、
遊技球を入賞可能位置に配置された磁性体で吸着した状態で特定入賞領域へ向けて誘導すると、この遊技球が特定入賞領域へ入賞することを許容し、
遊技球を入賞不能位置に配置された磁性体で吸着した状態で特定入賞領域へ向けて誘導すると、この遊技球が特定入賞領域へ入賞することを規制するように構成したことを特徴とする請求項１から請求項３のいずれかに記載の遊技機。
【請求項５】
前記位置変更作用部は、磁性体が磁力により吸着可能な吸着部材を備えて構成され、
前記第１回転体および／または第２回転体の回転動作に伴って吸着部材を磁性体から離間した側方に通過させ、吸着部材と磁性体との間に発生する磁力により磁性体の収納位置を変更可能としたことを特徴とする請求項１から請求項４のいずれかに記載の遊技機。
【請求項６】
前記位置変更作用部は、磁性体に当接可能な当接片で構成され、
前記第１回転体および／または第２回転体の回転動作に伴って当接片を磁性体へ当接し、当接片から受ける押圧力により磁性体の収納位置を変更可能としたことを特徴とする請求項１から請求項４のいずれかに記載の遊技機。
【請求項７】
前記吸着部材は、遊技球を磁力により吸着可能な磁性材で構成され、
前記誘導手段は、磁性体および吸着部材により球転動部上の遊技球を吸着して第２回転体の外周面上へ配置し、この配置状態で第１回転体および第２回転体を回転して、遊技球を特定入賞領域へ向けて誘導可能としたことを特徴とする請求項５に記載の遊技機。
【発明の詳細な説明】
【技術分野】
【０００１】
本発明は、前方を開放した凹室と、該凹室内に遊技球を受け入れない第１状態と受け入れる第２状態とに変換可能な可動部材と、遊技球が入賞可能な一般入賞領域および特定入賞領域と、を具備する変動入賞装置を備えたパチンコ遊技機等の遊技機に関する。
【背景技術】
【０００２】
所謂羽根物と呼ばれる従来のパチンコ遊技機においては、始動入賞口へ遊技球が入賞すると変動入賞装置の可動部材を所定の態様で開放して（例えば、０．５秒間の開放動作を行って）補助遊技を発生している。そして、補助遊技中に変動入賞装置内に受け入れた遊技球が特定入賞領域へ入賞すると、補助遊技よりも有利な態様で可動部材を開放して（例えば、０．８秒間の開放動作を最大１８回繰り返して）特別遊技を発生し、特定入賞領域へ入賞するチャンスを増大させて、多数の遊技球を獲得できるように構成されている。
【０００３】
また、このような羽根物と呼ばれるパチンコ遊技機については、変動入賞装置内に回転体を備え、該回転体の外周面に磁性体で遊技球を吸着し、この遊技球を特定入賞領域へ向けて誘導できるように構成されたものが提案されている（例えば、特許文献１参照）。具体的に説明すると、このパチンコ遊技機の変動入賞装置は、磁性体を備えた第１回転体と、該第１回転体を内包する第２回転体とを備え、変動入賞装置内に流入した遊技球を磁性体で吸着して第２回転体の外周面上に配置し、この配置状態で第１回転体を回転して遊技球を特定入賞領域へ誘導できるように構成されている。そして、変動入賞装置内に配置された磁性体を第２回転体で覆い隠すため、遊技球の吸着位置が判り難い。この結果、遊技者は、補助遊技における遊技球がどこで吸着されて特定入賞領域へ入賞するかを見て、入賞への期待感を持ちながら遊技を楽しむことができる。
【特許文献１】特開２００５−０８７２６２号公報
【発明の開示】
【発明が解決しようとする課題】
【０００４】
ところが、上記特許文献に記載のパチンコ遊技機においては、第１回転体における磁性体の配置箇所は常に一定であるため、磁性体に吸着された遊技球は、第１回転体の回転動作に伴う回転の他に、別個の動作を行うことがない。このため、遊技球の挙動が変化に乏しく単調なものになりがちであり、却って遊技の興趣が減衰してしまう虞がある。
【０００５】
そこで、本発明は、上記の事情に鑑みてなされたものであり、その目的は、特定入賞領域へ誘導される遊技球の挙動を複雑に変化させることができ、遊技の興趣を高めることができる遊技機を提供しようとするものである。
【課題を解決するための手段】
【０００６】
本発明は、上記目的を達成するために提案されたものであり、請求項１に記載のものは、遊技盤に取り付けるための取付基板と、該取付基板の裏面側に前方を開放した状態で形成された凹室と、該凹室内に遊技球を受け入れない第１状態と受け入れる第２状態とに変換可能な可動部材と、凹室内に設けられ、遊技球が入賞可能な一般入賞領域および特定入賞領域と、を具備する変動入賞装置を備え、
始動条件の成立に基づき前記可動部材を第２状態へ変換する補助遊技を実行し、該補助遊技の結果として変動入賞装置内に受け入れられた遊技球が特定入賞領域へ入賞した場合に、遊技者にとって有利な特別遊技状態を発生する遊技機において、
前記変動入賞装置は、凹室の下部に、可動部材により受け入れられた遊技球が転動可能な球転動部を設け、該球転動部の上方に特定入賞領域を設定し、該特定入賞領域と球転動部との間には、遊技球を特定入賞領域へ向けて誘導可能な誘導手段を備え、
該誘導手段は、
横向きに設定された第１回転軸を中心に回転する第１回転体と、
該第１回転体を内包し、第１回転軸の延設方向に沿って設定された第２回転軸を中心に第１回転体とは異なる回転動作で回転する第２回転体と、
遊技球を吸着して第２回転体の外周面上へ配置可能な吸着機構と、を備え、
該吸着機構は、
遊技球を磁力により吸着可能であり、第１回転軸または第２回転軸の延設方向に沿って移動可能な状態で収納された磁性体と、
前記第１回転体および／または第２回転体の回転動作に伴って磁性体との距離を異ならせることで該磁性体を移動してその収納位置を変更可能な位置変更作用部と、を備え、
前記磁性体により球転動部上の遊技球を吸着して第２回転体の外周面上へ配置し、この配置状態で第１回転体および／または第２回転体を回転して遊技球を特定入賞領域へ向けて誘導可能としたことを特徴とする遊技機である。
【０００７】
請求項２に記載のものは、前記吸着機構は、第１回転体に磁性体を備えるとともに、第２回転体に位置変更作用部を備え、
前記磁性体により球転動部上の遊技球を吸着して第２回転体の外周面上へ配置し、この配置状態で第１回転体を回転して遊技球を特定入賞領域へ向けて誘導可能としたことを特徴とする請求項１に記載の遊技機である。
【０００８】
請求項３に記載のものは、前記吸着機構は、第２回転体に磁性体を備えるとともに、第１回転体に位置変更作用部を備え、
前記磁性体により球転動部上の遊技球を吸着して第２回転体の外周面上へ配置し、この配置状態で第２回転体を回転して遊技球を特定入賞領域へ向けて誘導可能としたことを特徴とする請求項１に記載の遊技機である。
【０００９】
請求項４に記載のものは、前記位置変更作用部は、磁性体の収納位置を入賞可能位置と入賞不能位置とに変更可能であり、
遊技球を入賞可能位置に配置された磁性体で吸着した状態で特定入賞領域へ向けて誘導すると、この遊技球が特定入賞領域へ入賞することを許容し、
遊技球を入賞不能位置に配置された磁性体で吸着した状態で特定入賞領域へ向けて誘導すると、この遊技球が特定入賞領域へ入賞することを規制するように構成したことを特徴とする請求項１から請求項３のいずれかに記載の遊技機である。
【００１０】
請求項５に記載のものは、前記位置変更作用部は、磁性体が磁力により吸着可能な吸着部材を備えて構成され、
前記第１回転体および／または第２回転体の回転動作に伴って吸着部材を磁性体から離間した側方に通過させ、吸着部材と磁性体との間に発生する磁力により磁性体の収納位置を変更可能としたことを特徴とする請求項１から請求項４のいずれかに記載の遊技機である。
【００１１】
請求項６に記載のものは、前記位置変更作用部は、磁性体に当接可能な当接片で構成され、
前記第１回転体および／または第２回転体の回転動作に伴って当接片を磁性体へ当接し、当接片から受ける押圧力により磁性体の収納位置を変更可能としたことを特徴とする請求項１から請求項４のいずれかに記載の遊技機である。
【００１２】
請求項７に記載のものは、前記吸着部材は、遊技球を磁力により吸着可能な磁性材で構成され、
前記誘導手段は、磁性体および吸着部材により球転動部上の遊技球を吸着して第２回転体の外周面上へ配置し、この配置状態で第１回転体および第２回転体を回転して、遊技球を特定入賞領域へ向けて誘導可能としたことを特徴とする請求項５に記載の遊技機である。
【発明の効果】
【００１３】
本発明によれば、以下のような優れた効果を奏する。
請求項１に記載の発明によれば、変動入賞装置は、凹室の下部に、可動部材により受け入れられた遊技球が転動可能な球転動部を設け、該球転動部の上方に特定入賞領域を設定し、該特定入賞領域と球転動部との間には、遊技球を特定入賞領域へ向けて誘導可能な誘導手段を備え、該誘導手段は、横向きに設定された第１回転軸を中心に回転する第１回転体と、該第１回転体を内包し、第１回転軸の延設方向に沿って設定された第２回転軸を中心に第１回転体とは異なる回転動作で回転する第２回転体と、遊技球を吸着して第２回転体の外周面上へ配置可能な吸着機構とを備え、該吸着機構は、遊技球を磁力により吸着可能であり、第１回転軸または第２回転軸の延設方向に沿って移動可能な状態で収納された磁性体と、第１回転体および／または第２回転体の回転動作に伴って磁性体との距離を異ならせることで該磁性体を移動してその収納位置を変更可能な位置変更作用部とを備え、磁性体により球転動部上の遊技球を吸着して第２回転体の外周面上へ配置し、この配置状態で第１回転体および／または第２回転体を回転して遊技球を特定入賞領域へ向けて誘導可能としたので、第１回転体および／または第２回転体の回転動作に伴って、吸着機構に吸着された遊技球を回転体の回動軸に沿って移動させることができる。したがって、特定入賞領域へ誘導される遊技球の挙動を複雑に変化させることができ、遊技の興趣を高めることができる。
【００１４】
請求項２に記載の発明によれば、吸着機構は、第１回転体に磁性体を備えるとともに、第２回転体に位置変更作用部を備え、磁性体により球転動部上の遊技球を吸着して第２回転体の外周面上へ配置し、この配置状態で第１回転体を回転して遊技球を特定入賞領域へ向けて誘導可能としたので、第１回転体に備えられた磁性体を第２回転体で隠して、遊技者が磁性体の位置を把握し難いようにすることができる。したがって、磁性体の位置がランダムに変化しているような印象、ひいては、遊技球が意外な動作を行いながら特定入賞領域へ向けて誘導されているという印象を遊技者へ与えることができ、遊技の興趣をさらに高めることができる。
【００１５】
請求項３に記載の発明によれば、吸着機構は、第２回転体に磁性体を備えるとともに、第１回転体に位置変更作用部を備え、磁性体により球転動部上の遊技球を吸着して第２回転体の外周面上へ配置し、この配置状態で第２回転体を回転して遊技球を特定入賞領域へ向けて誘導可能としたので、第１回転体に磁性体を設ける場合に比べて、第２回転体の外周面上に配置された遊技球と磁性体とを近付けることができる。このことから、磁性体に遊技球を吸着し易くなり、遊技球が誘導されている途中で誘導手段から脱落する不都合を抑えることができる。したがって、遊技球が脱落したことで遊技者が落胆してしまうことを抑制することができ、遊技の興趣の低下を抑えることができる。
【００１６】
請求項４に記載の発明によれば、位置変更作用部は、磁性体の収納位置を入賞可能位置と入賞不能位置とに変更可能であり、遊技球を入賞可能位置に配置された磁性体で吸着した状態で特定入賞領域へ向けて誘導すると、この遊技球が特定入賞領域へ入賞することを許容し、遊技球を入賞不能位置に配置された磁性体で吸着した状態で特定入賞領域へ向けて誘導すると、この遊技球が特定入賞領域へ入賞することを規制するように構成したので、遊技者は、磁性体に吸着された遊技球の位置（挙動）を見て、この遊技球が特定入賞領域へ入賞されるか否かを楽しむことができ、遊技の興趣の向上を一層図ることができる。
【００１７】
請求項５に記載の発明によれば、位置変更作用部は、磁性体が磁力により吸着可能な吸着部材を備えて構成され、第１回転体および／または第２回転体の回転動作に伴って吸着部材を磁性体から離間した側方に通過させ、吸着部材と磁性体との間に発生する磁力により磁性体の収納位置を変更可能としたので、簡単な構成部品で磁性体の位置を変更することができ、移動可能な磁性体を備えた変動入賞装置、ひいては遊技機の製造コストを抑えることができる。
【００１８】
請求項６に記載の発明によれば、位置変更作用部は、磁性体に当接可能な当接片で構成され、第１回転体および／または第２回転体の回転動作に伴って当接片を磁性体へ当接し、当接片から受ける押圧力により磁性体の収納位置を変更可能としたので、磁性体の磁力の強弱に拘らず磁性体の位置を変更することができる。
【００１９】
請求項７に記載の発明によれば、吸着部材は、遊技球を磁力により吸着可能な磁性材で構成され、誘導手段は、磁性体および吸着部材により球転動部上の遊技球を吸着して第２回転体の外周面上へ配置し、この配置状態で第１回転体および第２回転体を回転して、遊技球を特定入賞領域へ向けて誘導可能としたので、第２回転体の外周面上に遊技球が吸着可能な箇所を増加することができる。したがって、遊技球を特定入賞領域へ向けて誘導する機会、ひいては特定入賞領域へ入賞する機会を増やすことができ、遊技の興趣をさらに高めることができる。
【発明を実施するための最良の形態】
【００２０】
以下、代表的な遊技機であるパチンコ遊技機を例に挙げて本発明の実施の最良の形態を図面に基づき説明する。図１はパチンコ遊技機の遊技盤の正面図である。
パチンコ遊技機の遊技盤１は、図１に示すように、表面にガイドレール等の区画部材２により区画された遊技領域３を形成し、該遊技領域３の略中央に変動入賞装置４を配設し、該変動入賞装置４の下方には、第１始動入賞口５および第２始動入賞口６を配設している。この他に遊技領域３内には、一般入賞具７、遊技球の流下方向を変える風車８や障害釘（図示せず）、および入賞せずに流下した遊技球を回収するアウト口１０を設けている。なお、第１始動入賞口５、第２始動入賞口６および一般入賞具７は、入賞した遊技球を検出する第１始動入賞口センサ、第２始動入賞口センサおよび一般入賞具センサ（いずれも図示せず）をそれぞれ備えている。
【００２１】
変動入賞装置４は、図２〜図４に示すように、遊技盤１の表面に取り付けるための取付基板１３を備え、該取付基板１３に正面から見て略矩形状の開口部１４を開設し、取付基板１３の裏面側には、前方を開放した状態の凹室１５を後方へ凹ませた状態で備え、該凹室１５の前方開放部分を開口部１４へ前後に重ねた状態で連通させている。また、開口部１４の下縁部には、横長な棚部１６を前方へ向けて突設し、開口部１４の左右両側縁部の下寄りには、縦長な球侵入阻止壁１８を前方へ向けて突設し、該球侵入阻止壁１８の下端部を棚部１６の上縁部に接続している。さらに、開口部１４の上方には庇部１９を突設し、開口部１４の左右各側縁部のうち、庇部１９の左右下端と球侵入阻止壁１８の左右上端との間には、下部に回動軸を備えた可動部材２０を開口部１４の外方（側方）へ開閉（回動）可能な状態で配置している。そして、可動部材２０を縦向き姿勢の第１状態（閉状態）に変換すると、庇部１９の左右下端と球侵入阻止壁１８の左右上端との間を閉塞して、遊技盤１の上方から流下してくる遊技球を凹室１５内に受け入れない状態となり、可動部材２０の上部を外方へ移動して開いた姿勢の第２状態（開状態）に変換すると、庇部１９の左右下端と球侵入阻止壁１８の左右上端との間を開放して、遊技盤１の上方から流下してくる遊技球を凹室１５内に受け入れ可能な状態となる（図９（ａ）参照）。なお、庇部１９の下方には、ＬＣＤ（液晶ディスプレイ）等により構成した表示装置２２を備え、遊技進行に伴って表示装置に数字や記号等を表示できるようになっている。
【００２２】
そして、凹室１５内には、可動部材２０を開いて受け入れられた遊技球を導入する導入空間部２４と、該導入空間部２４の下方に設けられた流入空間部２５と、導入空間部２４と流入空間部２５とを連通する連通流路２６とを備えている。
【００２３】
導入空間部２４は、凹室１５の上側に形成された空間部であり、該導入空間部２４の左右両側方に可動部材２０を配置して、遊技球を側方から導入できるように構成されている。また、導入空間部２４の下縁には、流入空間部２５との間仕切りとなる仕切部２８を備え、該仕切部２８の左右両側部の後側、すなわち当該導入空間部２４の側部の後側に連通流路２６の上流開口２６ａを連通している。また、仕切部２８のうち左右方向の中央部分を上方へ隆起して、受け入れられた遊技球が仕切部２８上で停留せずに、左右いずれかの連通流路２６へ向けて転動するように構成されている。
【００２４】
連通流路２６は、可動部材２０の後方および球侵入阻止壁１８の後方に形成された縦長な流路であり、上流開口２６ａを可動部材２０の後方に設定して導入空間部２４へ連通し、下流開口２６ｂを凹室１５の区画側壁の下寄りに開設して流入空間部２５の下側へ連通している。また、連通流路２６の途中には、上流開口２６ａから流下してきた遊技球を検出するための入賞球検出センサ（図示せず）を備えている。
【００２５】
次に流入空間部２５について説明する。
流入空間部２５は、導入空間部２４から遊技球を流入可能な空間部であり、導入空間部２４よりも広く設定されている。また、図４に示すように、当該流入空間部２５の下側に配置された球転動部３０と、該球転動部３０の後方に配置され、遊技球が入賞可能な一般入賞領域３１と、球転動部３０および一般入賞領域３１よりも上方且つ後方に設定され、遊技球が入賞可能な特定入賞領域３２と、該特定入賞領域３２と球転動部３０および一般入賞領域３１との間に設けられた誘導装置３３（本発明における誘導手段に相当）とを備えている。
【００２６】
球転動部３０は、凹室１５内に遊技球を転動するためのものであり、凹室１５の底部のうち左右両側の連通流路２６の下流開口２６ｂの間、および棚部１６の上部（言い換えると左右の球侵入阻止壁１８の間）に、後方へ下り傾斜した状態で形成され、連通流路２６から流下してきた遊技球を後方の一般入賞領域３１や特定入賞領域３２の方向へ向けて転動するように構成されている。
【００２７】
一般入賞領域３１は、球転動部３０と略同じ横幅、言い換えると凹室１５の横幅に亘って設定された入賞領域であり、凹室１５の底部のうち球転動部３０の後方に遊技球の直径よりも広い前後幅の入賞開口部（一般入賞口）３６を横長な矩形状に開設し、該入賞開口部３６の下方に一般入賞流路３７を接続して構成されている。また、入賞開口部３６には、開閉可能な矩形板状の開閉部材（扉部材）３８を配置し（図５参照）、該開閉部材３８の後側に開閉軸３８ａを左右方向へ延出した状態で備え、該開閉軸３８ａを入賞開口部３６の左右両側縁の後側に回動自在な状態で軸着し、開閉軸３８ａの端部を開閉ソレノイドの出力ロッド（図示せず）に接続している。そして、例えば、開閉ソレノイドを消磁した常態においては、当該開閉部材３８の自由端部（前端部）を入賞開口部３６の前縁部に配置して開閉部材３８を凹室１５の底部と略同一平面上に配置し、入賞開口部３６を閉成する閉状態（横向き状態）を維持する（図３および図４参照）。一方、開閉ソレノイドを励磁すると、開閉軸３８ａの周りに回動し、開閉部材３８の自由端部を下方へ移動して開閉部材３８を一般入賞流路３７内に引き込み、入賞開口部３６を開放する開状態（縦向き状態）に変換する。さらに、一般入賞流路３７には残存球センサ（図示せず）を備え、該残存球センサにより一般入賞領域３１へ入賞した遊技球が凹室１５の外方（言い換えると変動入賞装置４の外方）へ導出されたことを検出（確認）できるように構成されている。
【００２８】
特定入賞領域３２は、図４および図５に示すように、左右方向に移動（揺動）可能な移動入賞部４０の内側に区画形成されている。具体的に説明すると、移動入賞部４０は、左右両側壁部４０ａおよび後壁部４０ｂにより上方から見てコ字状に形成された部材であり、各壁部４０ａ，４０ｂにより特定入賞領域（特定入賞口）３２を前方、上方および下方を開放した状態で区画形成している。さらに、左右両側壁部４０ａの間隔を遊技球の直径よりも僅かに広く設定して、遊技球が１個ずつ特定入賞領域３２へ入賞し得るように構成している。また、特定入賞領域３２の下方（移動入賞部４０の下部）には、遊技球の特定入賞領域３２への入賞を検出する特定入賞センサ４１を備えている。そして、後壁部４０ｂの上部を側壁部４０ａよりも上方へ延設し、該延設部４０ｃの前面側に「Ｖ」の文字を刻設し、左右両側壁部４０ａの前縁部の下寄り部分には、円弧状の切欠部４０ｄを形成して後述する誘導装置３３が移動入賞部４０に干渉する不具合を阻止している。
【００２９】
さらに、移動入賞部４０の後側には、移動入賞部４０を左右方向へ移動（揺動）するための移動機構４３を備えている。移動機構４３は、外周面に雄ねじ部を形成して左右方向に長尺なねじ軸４４と、移動入賞部４０の後壁部４０ｂの裏面側に形成され、内側に雄ねじ部を螺合する雌ねじ孔が形成された軸受部４５と、ねじ軸４４の下方にねじ軸４４と平行な状態で配置されたガイド軸４６と、移動入賞部４０の後壁部４０ｂの裏面側のうち軸受部４５の下方に配置され、ガイド軸４６に係合するガイド受部４７とを備えて構成されている。そして、ねじ軸４４の端部に回転駆動源となる移動用回転モータの出力軸（図示せず）を接続し、該移動用回転モータを駆動してねじ軸４４を正転あるいは逆転すると、ガイド受部４７とガイド軸４６と係合した状態で移動入賞部４０がガイド軸４６に沿って左右方向へ移動するように構成されている。なお、移動入賞部４０の左右移動範囲（すなわち特定入賞領域３２の左右移動範囲）は、後述する誘導装置３３の横幅よりも狭く設定されており、この移動範囲の左右両端を誘導装置３３の左右両端部よりも左右方向の中央寄りに設定している（図７（ｂ）参照）。また、誘導装置３３の内部構成の一部と移動入賞部４０の移動範囲との関係については、後で詳細に説明する。
【００３０】
また、特定入賞領域３２の下方、言い換えると移動入賞部４０の下方には、特定入賞領域３２を通過した入賞球、あるいは誘導装置３３により特定入賞領域３２へ向けて誘導されたが特定入賞領域３２へ入賞できなかった遊技球を回収するための球回収路４９を設けている。そして、該球回収路４９の上流開口（すなわち遊技球を受け入れる回収口）４９ａを上方の特定入賞領域３２へ向けて開放し、この開放状態で凹室１５の後壁部に沿って横長に設定し、球回収路４９の下流開口４９ｂを凹室１５の底部の後寄りに下方へ開放した状態で開設している。さらに、下流開口４９ｂの下方には、残存球センサ５０を備え、該残存球センサ５０により特定入賞領域３２へ入賞した遊技球、および特定入賞領域３２へ向けて誘導されたが入賞しなかった遊技球が球回収路４９に回収されて凹室１５の外方（言い換えると変動入賞装置４の外方）へ導出されたことを検出（確認）できるように構成されている。
【００３１】
次に、誘導装置３３について説明する。
誘導装置３３は、図６〜図８に示すように、第１回転体（内側回転体）５３と、該第１回転体５３を内包する第２回転体（外側回転体）５４と、遊技球を吸着して第２回転体５４の外周面上へ配置可能な吸着機構５５とを備えて構成されている。そして、図４および図５に示すように、第２回転体５４の前側部が一般入賞領域３１の直上に位置する状態で配置されている。
【００３２】
第１回転体５３は、中心軸を左右方向に延在する状態で設定された円筒状の部材であり、中心軸部分には断面Ｄ字状の軸孔５７を貫通し、該軸孔５７に断面Ｄ字状の第１回転軸５８を挿通している。また、第１回転軸５８の左右両端を第１回転体５３の端部よりも外方へ突出し、一端（図６中、左側端）には、接続部材５９を介して第１回転モータ（第１駆動源）６０の出力軸を接続し、他端（図６中、右側端）を断面円形状に形成し、後述する第２回転体５４の一部に回動自在な状態で遊嵌している。したがって、第１回転体５３は、第１回転軸５８を左右方向に延在する状態で横向きに設定し、第１回転モータ６０を駆動することで、第１回転軸５８を中心に回転し、第１回転体５３の前面側に位置する外周面を上下方向へ移動するように構成されている。
【００３３】
第２回転体５４は、第１回転体５３よりもひと回り大きな円筒体で構成された部材であり、この円筒体の中心軸を第１回転軸５８（第１回転体５３の中心軸）と同一線上に位置する姿勢に設定し、この状態で第１回転体５３を内側に収納している。また、第２回転体５４のうち第１回転モータ６０とは反対側の縁部（図６中、右縁部）を蓋部材６２で閉塞し、該蓋部材６２の内側面（第１回転体５３の側部に対向する面）の中央部分には第１回転軸５８が軸支される軸受部６３を凹んで形成し（図７（ｂ）参照）、蓋部材６２の外側面（第１回転体５３とは反対側の面）の中央部分には、第２回転軸６４を第１回転軸５８の延長線上に位置する状態で突設している。さらに、第１回転体５３および第２回転体５４を挟んで第１回転モータ６０とは反対側に第２回転モータ（第２駆動源）６５を配置し、この第２回転モータ６５の出力軸に第２回転軸６４を接続している。したがって、第２回転体５４は、第２回転軸６４（すなわち第２回転体５４の回転中心）を第１回転軸５８の延設方向に沿って設定し、第２回転モータ６５を駆動することで、第２回転軸６４を中心に回転し、第２回転体５４の前面側に位置する外周面を上下方向へ移動するように構成されている。なお、第２回転体５４は、第１回転体５３とは異なる回転動作で回転するように設定されるが、詳細は後で説明する。
【００３４】
吸着機構５５は、第１回転体５３の外周面と第２回転体５４の内周面との間に配置された機構であり、遊技球を磁力により吸着可能な磁性体７０を備えた磁性体ユニット７１と、磁性体７０の位置を変更可能な位置変更作用部７２とを備えて構成されている。
【００３５】
磁性体ユニット７１は、第１回転体５３の外周面に枠状の磁性体収納部７４を外方へ突出した状態で備え、該磁性体収納部７４内に形成された凹部７５に円盤状の磁性体（磁石）７０を１個収納して構成されている。また、凹部７５を第１回転軸５８の延設方向に沿って横長に形成し、この長尺側の寸法を磁性体７０の横幅よりも長い寸法（例えば、磁性体７０の横幅の１．５〜２倍の寸法）に設定して、１個の磁性体７０が凹部７５内を第１回転軸５８または第２回転軸６４の延設方向に沿って移動できるように構成されている。そして、本実施形態では、第１回転体５３の外周面に２つの磁性体ユニット７１を配置している。具体的には、第１回転体５３のうち第１回転モータ６０寄り（図７（ｂ）中、左寄り）の位置に第１磁性体ユニット７１ａを配置するとともに、第２回転モータ６５寄り（図７（ｂ）中、右寄り）の位置に第２磁性体ユニット７１ｂを配置し、該第２磁性体ユニット７１ｂを第１回転体５３および第２回転体５４の左右方向の中心線ＣＬを挟んで第１磁性体ユニット７１ａとは対称となる左右位置、且つ第１回転軸５８を中心にして第１磁性体ユニット７１ａの位置から略１８０度位相をずらした位置に設定している。
【００３６】
なお、磁性体収納部７４は、凹部７５のうち中心線ＣＬ寄りの位置を入賞可能位置７５ａとし、該入賞可能位置７５ａを移動範囲の端部に移動してきた移動入賞部４０（特定入賞領域３２）と前後に重なり得る状態に設定している。また、入賞可能位置７５ａを挟んで中心線ＣＬとは反対寄りの位置を入賞不能位置７５ｂとし、該入賞不能位置７５ｂを移動範囲の端部に移動してきた移動入賞部４０（特定入賞領域３２）と前後に重なることがない状態、すなわち特定入賞領域３２の移動範囲の前方から外側へ外れた位置に設定している。
【００３７】
位置変更作用部７２は、第２回転体５４に備えられ、磁性体収納部７４内の磁性体７０の収納位置を入賞可能位置７５ａと入賞不能位置７５ｂとに変更可能な構成要素である。詳しくは、第２回転体５４の外周面を内側へ凹ませて作用収納部７７を形成し、該作用収納部７７内に磁性体７０が磁力により吸着可能な鉄製の円盤状吸着部材７８を揺動しない状態で収納（嵌入）して構成されている。そして、本実施形態では、第２回転体５４の内周面に、第１磁性体ユニット７１ａの磁性体７０のみに作用する第１位置変更作用部７２ａと、第２磁性体ユニット７１ｂの磁性体７０のみに作用する第２位置変更作用部７２ｂと、第１磁性体ユニット７１ａの磁性体７０および第２磁性体ユニット７１ｂの両方の磁性体７０に作用する第３位置変更作用部７２ｃおよび第４位置変更作用部７２ｄとを備えている。
【００３８】
具体的には、図７（ｂ）に示すように、第２回転体５４の内周面のうち第１磁性体ユニット７１ａよりも第１回転モータ６０寄り（図７（ｂ）中、左寄り）の位置に第１位置変更作用部７２ａを配置し、第１回転体５３および／または第２回転体５４を回転した場合に、この第１位置変更作用部７２ａが第１磁性体ユニット７１ａの側方（図７（ｂ）中、左側方）を干渉せずに通過できるように構成されている。また、第２磁性体ユニット７１ｂよりも第２回転モータ６５寄り（図７（ｂ）中、右寄り）の位置、且つ第１位置変更作用部７２ａの位置から略１８０度位相をずらした位置に第２位置変更作用部７２ｂを配置し、第１回転体５３および／または第２回転体５４を回転した場合には、この第２位置変更作用部７２ｂが第２磁性体ユニット７１ｂの側方（図７（ｂ）中、右側方）を干渉せずに通過できるように構成されている。
【００３９】
さらに、第２回転体５４の中心線ＣＬ上の位置、且つ第１回転モータ６０側から見て第１位置変更作用部７２ａから時計方向へ略９０度位相をずらした位置に第３位置変更作用部７２ｃを配置し、第２回転体５４の中心線ＣＬ上の位置、且つ第１回転モータ６０側から見て第１位置変更作用部７２ａから反時計方向へ略９０度位相をずらした位置に第４位置変更作用部７２ｄを配置している（図７（ａ）および図８（ａ）参照）。言い換えると、第２回転体５４は、第３位置変更作用部７２ｃと第４位置変更作用部７２ｄとを互いに略１８０度位相をずらした状態で配置している。そして、第１回転体５３および／または第２回転体５４を回転した場合には、第３位置変更作用部７２ｃおよび第４位置変更作用部７２ｄが第１磁性体ユニット７１ａまたは第２磁性体ユニット７１ｂの側方（具体的には、中心線ＣＬ寄りの側方）を干渉せずに通過できるように構成されている（図８（ｂ）参照）。したがって、第２回転体５４をその前側部が下方へ移動する方向（すなわち、図４〜図６において矢印Ｃで示す回転方向）へ回転すると、第１位置変更作用部７２ａ、第４位置変更作用部７２ｄ、第２位置変更作用部７２ｂ、第３位置変更作用部７２ｃの順で第２回転体５４の下側へ向けて移動することになる。なお、第２回転体５４の外周には、不透明の薄いプラスチックフィルムや紙材等で構成された装飾カバー部材（カバーシート）８０を巻き付けて各吸着部材７８を外方から覆い、吸着部材７８が作用収納部７７から脱落する不具合を防いでいる。
【００４０】
また、吸着機構５５は、磁性体７０から各回転体５３，５４の回転中心（具体的には第１回転軸５８）までの距離と、吸着部材７８から各回転体５３，５４の回転中心までの距離とを略等しく設定している。したがって、第１回転体５３および／または第２回転体５４を回転すると、この回転動作に伴って磁性体ユニット７１（磁性体７０）と位置変更作用部７２とが近づいたり遠ざかったりして距離を異ならせ、磁性体ユニット７１と位置変更作用部７２とを最も近付けると、磁性体７０と吸着部材７８とを第１回転軸５８の延設方向に沿って左右に並んだ状態に配置するように構成している（図７（ｂ）および図８（ｂ）参照）。このため、磁性体ユニット７１と位置変更作用部７２とが最も近づいたとしても、第１回転体５３の外周面と第２回転体５４の内周面とが当接（摺動）する虞がなく、第１回転体５３および第２回転体５４の回転動作を円滑に行わせることができる。
【００４１】
そして、図７（ｂ）に示すように、第１磁性体ユニット７１ａに第１位置変更作用部７２ａが最も近づいて横に並ぶと、吸着部材７８との間に発生する磁力が作用して第１磁性体ユニット７１ａの磁性体７０が第１位置変更作用部７２ａの吸着部材７８に引き寄せられて、磁性体収納部７４の第１位置変更作用部７２ａ寄り（図７（ｂ）中、左寄り）の入賞不能位置７５ｂに移動する。また、第２磁性体ユニット７１ｂに第２位置変更作用部７２ｂが最も近づいて横に並ぶと、吸着部材７８との間に発生する磁力が作用して第２磁性体ユニット７１ｂの磁性体７０が第２位置変更作用部７２ｂの吸着部材７８に引き寄せられ、磁性体収納部７４の第２位置変更作用部７２ｂ寄り（図７（ｂ）中、右寄り）の入賞不能位置７５ｂに移動する。
【００４２】
一方、図８（ｂ）に示すように、第１磁性体ユニット７１ａに第４位置変更作用部７２ｄ（または第３位置変更作用部７２ｃ）が最も近づいて横に並ぶと、吸着部材７８との間に発生する磁力が作用して第１磁性体ユニット７１ａの磁性体７０が第４位置変更作用部７２ｄの吸着部材７８（または第３位置変更作用部７２ｃの吸着部材７８）に引き寄せられ、磁性体収納部７４の中心線ＣＬ寄り（図８（ｂ）中、右寄り）の入賞可能位置７５ａに移動する。また、第２磁性体ユニット７１ｂに第３位置変更作用部７２ｃ（または第４位置変更作用部７２ｄ）が最も近づいて横に並ぶと、吸着部材７８との間に発生する磁力が作用して第２磁性体ユニット７１ｂの磁性体７０が第３位置変更作用部７２ｃの吸着部材７８（または第４位置変更作用部７２ｄの吸着部材７８）に引き寄せられ、磁性体収納部７４の中心線ＣＬ寄り（図８（ｂ）中、左寄り）の入賞可能位置７５ａに移動する。
【００４３】
次に、上記した構成を有するパチンコ遊技機の動作について、特に、変動入賞装置４内に受け入れられた遊技球を誘導装置３３により誘導する動作について説明する。なお、第１回転モータ６０および第２回転モータ６５を駆動して、第１回転体５３を外周面の前側部分（言い換えると一般入賞領域３１側）が上方へ移動する回転（図４〜図６に矢印Ｄで示す回転）を常時行い、第２回転体５４を外周面の前側部分（一般入賞領域３１側）が下方へ移動する回転（図４〜図６に矢印Ｃで示す回転）、すなわち第１回転体５３とは逆方向の回転を常時行っているものとする。さらに、移動用回転モータを駆動してねじ軸４４を正逆方向へ繰り返し回転し、移動入賞部４０（特定入賞領域３２）をその移動範囲内で常時左右に往復移動させているものとする。また、可動部材２０を第１状態（閉状態）に変換するとともに、一般入賞領域３１の入賞開口部３６を開閉部材３８で閉じた状態に変換している。
【００４４】
発射装置（図示せず）により発射された遊技球は、区画部材２に沿って案内されて遊技領域３の上部に達した後、障害釘や風車８により方向を変えながら遊技領域３内を流下する。この遊技球が一般入賞具７、第１始動入賞口５および第２始動入賞口６に入賞した場合には所定の賞球が得られ、何れにも入賞しなかった場合には、この遊技球はアウト口１０から回収される。
【００４５】
そして、遊技球が第１始動入賞口５あるいは第２始動入賞口６に入賞すると、パチンコ遊技機は、この遊技球の入賞に基づいて（あるいは、第１始動入賞口５、第２始動入賞口６への入賞に基づいて表示装置２２で変動表示を行う場合には、変動表示結果が特定の結果態様になったことに基づいて）補助遊技を行う。すなわち、始動入賞口５，６への遊技球入賞が補助遊技を始動（発生）する条件となり、この始動条件の成立に基づき可動部材２０を第１状態から第２状態（開状態）へ変換する補助遊技を実行する。具体的には、遊技球が第１始動入賞口５へ入賞すると、可動部材２０を第２状態へ所定時間（例えば０．５秒間）だけ１回変換し、遊技球が第２始動入賞口６に入賞すると、上記した変換動作を２回行う。
【００４６】
第２状態に変換した可動部材２０により遊技球が変動入賞装置４内に取り込まれると、この遊技球は、図９（ａ）に示すように、導入空間部２４、連通流路２６を流下して、流入空間部２５の球転動部３０上に到達する。さらに、球転動部３０を後方へ転動して一般入賞領域３１の閉状態の開閉部材３８の上に停留し、この停留状態で誘導装置３３に当接、詳しくは第２回転体５４の前面側に当接する。このとき、遊技球の後方に第１回転体５３上の磁性体７０が位置していたり、あるいは近づいたりした場合には、遊技球がこの磁性体７０の磁力により吸着されて第２回転体５４の外周面上に配置される（図９（ｂ）参照）。一方、遊技球の後方に第１回転体５３上の磁性体７０が通過しない、言い換えると遊技球が磁性体７０の前方から外れた位置に到達した場合には、遊技球が第２回転体５４の外周面に吸着されずに一般入賞領域３１の開閉部材３８上に停留し続ける。そして、可動部材２０が第２状態に変換してから所定時間経過後（例えば、３秒経過後）に、開閉部材３８が開いて入賞開口部３６が開放され、停留していた遊技球が入賞開口部３６および一般入賞流路３７に流下する。したがって、誘導装置３３により吸着されず特定入賞領域３２へ誘導されない遊技球は、一般入賞領域３１へ入賞し、残存球センサにより検出され、変動入賞装置４の下方へ排出される。
【００４７】
そして、磁性体７０に吸着されて第２回転体５４の外周面上に配置された遊技球は、磁性体７０に吸着された状態で第２回転体５４の外周面に沿って上昇する。さらに、第２回転体５４の上部に到達した後には、引き続き磁性体７０に吸着された状態で第２回転体５４の外周面に沿って後方へ移動し移動入賞部４０の移動範囲の前方に到達する。このようにして遊技球は誘導装置３３により特定入賞領域３２へ向けて誘導される。
【００４８】
このとき、第２回転体５４がその外周面の前側部分を下向きに移動する状態で回転しているので、遊技球は第２回転体５４の表面をその動きに逆らって摺動しながら移動（第１回転軸５８を中心にして回動）することになる。さらに、位置変更作用部７２および位置変更作用部７２に備えられた吸着部材７８が回動中の磁性体７０（磁性体ユニット７１）から離間した側方を通過し、この通過に伴って磁性体７０が入賞可能位置７５ａに移動したり、入賞不能位置７５ｂに移動したりする。具体的には、第１磁性体ユニット７１ａの左右何れかの側方を、第１位置変更作用部７２ａ、第４位置変更作用部７２ｄ、第３位置変更作用部７２ｃの順で通過する。そして、第１位置変更作用部７２ａが通過すると、第１磁性体ユニット７１ａの磁性体７０が入賞不能位置７５ｂに移動し、第３位置変更作用部７２ｃまたは第４位置変更作用部７２ｄが通過すると、第１磁性体ユニット７１ａの磁性体７０が入賞可能位置７５ａに移動する。さらに、第２磁性体ユニット７１ｂの左右何れかの側方を、第４位置変更作用部７２ｄ、第２位置変更作用部７２ｂ、第３位置変更作用部７２ｃの順で通過する。そして、第２位置変更作用部７２ｂが通過すると、第２磁性体ユニット７１ｂの磁性体７０が入賞不能位置７５ｂに移動し、第３位置変更作用部７２ｃよび第４位置変更作用部７２ｄが通過すると、第２磁性体ユニット７１ｂの磁性体７０が入賞可能位置７５ａに移動する。したがって、第１回転体５３および第２回転体５４の回転動作に伴って、吸着機構５５に吸着された遊技球を回転体５３，５４の回動軸（具体的には第１回転軸５８）に沿って移動させることができる。これにより、特定入賞領域３２へ誘導される遊技球の挙動を複雑に変化させることができ、遊技の興趣を高めることができる。また、第１回転体５３に備えられた磁性体７０を第２回転体５４で隠して、遊技者が磁性体７０の位置を把握し難いようにすることができる。したがって、磁性体７０の位置がランダムに変化しているような印象、ひいては、遊技球が意外な動作を行いながら特定入賞領域３２へ向けて誘導されているという印象を遊技者へ与えることができ、遊技の興趣をさらに高めることができる。
【００４９】
そして、遊技球を入賞可能位置７５ａに配置された磁性体７０で吸着し、この状態で第１回転体５３を引き続き回転して特定入賞領域３２へ向けて誘導すると、この遊技球が移動入賞部４０の移動範囲の端部の前方に近づき、特定入賞領域３２へ入賞することを許容される。具体的には、入賞可能位置７５ａの磁性体７０に吸着された遊技球が移動入賞部４０の移動範囲の端部に近づき、この近づいたタイミングで移動入賞部４０（詳しくは特定入賞領域３２）が遊技球の直後に配置（移動）されれば、この遊技球は、特定入賞領域３２へ入賞して特定入賞センサ４１により検出される。このとき、特定入賞センサ４１の一部（開口縁部）に引っ掛かり、この状態でさらに第１回転体５３が回転すると、遊技球は、磁性体７０および第２回転体５４から離れ、移動入賞部４０の下方へ流下して球回収路４９に回収される。また、遊技球が移動入賞部４０の移動範囲の端部に近づいたときに移動入賞部４０（詳しくは特定入賞領域３２）が遊技球の直後から外れていれば、この遊技球は、特定入賞領域３２へ入賞せず、移動入賞部４０の側方を通過して球回収路４９の上流開口４９ａの前縁部に引っ掛かる。この状態でさらに第１回転体５３が回転すると、遊技球は、磁性体７０および第２回転体５４から離れ、球回収路４９に回収される。一方、遊技球を入賞不能位置７５ｂに配置された磁性体７０で吸着し、この状態で第１回転体５３を引き続き回転して特定入賞領域３２へ向けて誘導すると、この遊技球が移動入賞部４０の移動範囲から外れた側方に近づき、特定入賞領域３２へ入賞することを規制される。そして、遊技球は、球回収路４９の上流開口４９ａの前縁部に引っ掛かり、この状態でさらに第１回転体５３が回転すると、磁性体７０および第２回転体５４から離れ、球回収路４９に回収される。したがって、遊技者は、磁性体７０に吸着された遊技球の位置（挙動）を見て、この遊技球が特定入賞領域３２へ入賞されるか否かを楽しむことができ、遊技の興趣の向上を一層図ることができる。
【００５０】
さらに、第１回転体５３および第２回転体５４の回転動作に伴って吸着部材７８を磁性体７０から離間した側方に通過させ、吸着部材７８と磁性体７０との間に発生する磁力により磁性体７０の収納位置を変更可能としたので、簡単な構成部品で磁性体７０の位置を変更することができ、移動可能な磁性体７０を備えた変動入賞装置４、ひいてはパチンコ遊技機の製造コストを抑えることができる。
【００５１】
なお、特定入賞領域３２に入賞したか否かに拘らず球回収路４９に回収された遊技球は、残存球センサ５０により検出される。そして、補助遊技において、一般入賞流路３７の残存球センサおよび球回収路４９の残存球センサ５０により検出された遊技球数と入賞球検出センサ（カウントセンサ）により検出された遊技球数とが一致するまで、すなわち変動入賞装置４４内に入賞した全遊技球が変動入賞装置４４の外へ導出されたことを確認するまで、パチンコ遊技機は、各始動入賞口センサが遊技球（各始動入賞口５，６への入賞球）を検出しても補助遊技は行わない。
【００５２】
このようにして行われた補助遊技の結果として、変動入賞装置４内に受け入れられた遊技球が特定入賞領域３２へ入賞した場合には、パチンコ遊技機は、遊技者にとって有利な特別遊技状態（大当り状態）を発生する。特別遊技においては、パチンコ遊技機は、第１ラウンドを開始して可動部材２０を第２状態へ変換する動作（開動作）を複数回（最大１８回）繰り返し実行し、変動入賞装置４内に取り込まれた遊技球の個数を入賞球検出センサ（カウントセンサ）でカウントする。そして、可動部材２０における複数回の第２状態への変換動作が終了するか、あるいは所定個数（例えば、１０個）の遊技球を変動入賞装置４４内に導入するかの何れか早い方の条件が成立すると、可動部材２０を第１状態に変換して第１ラウンドを終了する。その後、再び可動部材２０を第２状態に変換して第２ラウンドを開始する。
【００５３】
このように可動部材２０の開閉動作（第１状態または第２状態への変換）を繰り返してラウンドを所定回数（例えば、１６回）繰り返し、最終ラウンドにおいて可動部材２０を第１状態に変換して閉じると、パチンコ遊技機は、特別遊技を終了して通常遊技に戻る。
【００５４】
なお、上記実施形態では、第１回転体５３とともに第２回転体５４を回転し、且つ第２回転体５４を第１回転体５３とは逆方向に回転したが、本発明はこれに限定されない。要は、第２回転体５４を第１回転体５３とは異なる回転動作で回転して、特定入賞領域３２へ向けて移動する磁性体７０の側方に吸着部材７８を通過させることができればよい。したがって、第１回転体５３を停止した状態にしてもよいし、あるいは第２回転体５４を第１回転体５３と同じ回転方向であって、第１回転体５３とは異なる回転速度（すなわち第１回転体５３よりも遅い回転速度、または速い回転速度）で回転してもよい。さらに、第１磁性体ユニット７１ａの磁性体７０と第２磁性体ユニット７１ｂの磁性体７０とが同じタイミングで入賞可能位置に移動したり、入賞不能位置に移動したりするように構成したが、本発明はこれに限定されず、２つの磁性体ユニット７１の磁性体７０が異なるタイミングで移動するようにしてもよい。
【００５５】
また、上記実施形態では、吸着機構５５は、第１回転体５３に磁性体ユニット７１（磁性体７０）を備えるとともに、第２回転体５４に位置変更作用部７２を備えたが、本発明はこれに限定されず、第２回転体５４に磁性体ユニット７１（磁性体７０）を備え、第１回転体５３に位置変更作用部７２を備えてもよい。例えば、図１０に示す第２実施形態では、第２回転体５４の外周面を内側に凹ませて横長な磁性体収納部７４を第１回転軸５８の延設方向に沿う状態で形成し、該磁性体収納部７４に形成された凹部７５に円盤状の磁性体（磁石）７０を１個収納して磁性体ユニット７１を構成している。さらに、第１回転体５３の外周面に枠状の作用収納部７７を外方へ突出した状態で備え、該作用収納部７７内に鉄製の円盤状吸着部材７８を揺動しない状態で収納（嵌入）して位置変更作用部７２を構成している。このような磁性体ユニット７１および位置変更作用部７２を備えて吸着機構５５を構成し、磁性体７０により球転動部３０上の遊技球（詳しくは球転動部３０を流下して一般入賞領域３１上に到達した遊技球）を吸着して第２回転体５４の外周面上へ配置し、この配置状態で第２回転体５４をその外周面の前側部分が上向きに移動するように回転すれば、遊技球を特定入賞領域３２へ向けて誘導することができる。そして、第２実施形態の吸着機構５５は、第１回転体５３に磁性体７０を設けた第１実施形態の吸着機構５５に比べて、第２回転体５４の外周面上に配置された遊技球と磁性体７０とを近付けることができる。このことから、磁性体７０に遊技球を吸着し易くなり、遊技球が誘導されている途中で誘導装置３３から脱落する不都合を抑えることができる。したがって、遊技球が脱落したことで遊技者が落胆してしまうことを抑制することができ、遊技の興趣の低下を抑えることができる。
【００５６】
そして、第２実施形態においても、第２回転体５４を第１回転体５３とは異なる回転動作で回転して、特定入賞領域３２へ向けて移動する磁性体７０の側方に吸着部材７８を通過させれば、回動中の磁性体７０と吸着部材７８との間に働く磁力により磁性体７０を入賞可能位置７５ａまたは入賞不能位置７５ｂに移動することができる。したがって、磁性体７０に吸着された遊技球を左右方向に移動しながら特定入賞領域３２へ向けて誘導することができる。なお、第２回転体５４を停止して磁性体７０の側方に吸着部材７８を通過させてもよいし、あるいは第２回転体５４を第１回転体５３と同じ回転方向であって、第１回転体５３とは異なる回転速度で回転して磁性体７０の側方に吸着部材７８を通過させてもよい。
【００５７】
また、上記した各実施形態の吸着部材７８を磁性材（磁石）で構成して吸着部材７８にも遊技球を磁力により吸着可能としてもよい。そして、磁性体ユニット７１の磁性体７０および位置変更作用部７２の吸着部材７８により球転動部３０上の遊技球（詳しくは球転動部３０を流下して一般入賞領域３１上に到達した遊技球）を吸着して第２回転体５４の外周面上へ配置し、この配置状態で第１回転体５３および第２回転体５４をその外周面の前側部分が上向きに移動する状態で回転して、遊技球を特定入賞領域３２へ向けて誘導可能としてもよい。このように、磁性体ユニット７１の磁性体７０による磁力だけではなく、吸着部材７８による磁力でも遊技球を吸着できるようにすれば、第２回転体５４の外周面上に遊技球が吸着可能な箇所を増加することができる。したがって、遊技球を特定入賞領域３２へ向けて誘導する機会、ひいては特定入賞領域３２へ入賞する機会を増やすことができ、遊技の興趣をさらに高めることができる。
【００５８】
ところで、上記実施形態では、位置変更作用部７２は、磁性体７０との間に磁力を発生させ、この磁力により磁性体７０を引き付けて磁性体７０の収納位置を変更するように構成したが、本発明はこれに限定されず、磁性体７０に位置変更作用部を当接して磁性体７０の収納位置を変更できるように構成してもよい。例えば、図１１〜図１３に示す第３実施形態では、基本的な構成は上記第１実施形態と同じであるが、位置変更作用部を磁性体７０に当接可能な当接片８４で構成した点で異なる。
【００５９】
具体的に説明すると、当接片８４は、第２回転体５４の内周面から内側へ向けて突設されるとともに、第２回転体５４の中心軸側から半径方向に見て第２回転体５４の回転方向へ先端を向けた楔状に形成されている（図１１参照）。そして、当接片８４のうち楔の先端に相当する部分を回転先端８５とし、磁性体７０と当接片８４とを左右に並べた状態で、磁性体７０に当接可能な当接面８６を回転先端８５から第２回転体５４の回転方向とは反対方向へ向かうにしたがって次第に磁性体７０寄りに位置する状態に設定している。そして、第３実施形態では、第２回転体５４の内周面に複数の当接片８４、詳しくは、第１磁性体ユニット７１ａの磁性体７０に当接する第１当接片８４ａおよび第２当接片８４ｂと、第２磁性体ユニット７１ｂの磁性体７０に当接する第３当接片８４ｃおよび第４当接片８４ｄとを備えている。なお、磁性体ユニット７１は、磁性体収納部７４の縁部を当接片８４と干渉しない程度の位置に設定するとともに、該縁部から磁性体７０を外方へ突設し、各当接片８４が磁性体収納部７４に干渉せずに磁性体７０に当接できるように構成されている。
【００６０】
そして、図１２および図１３に示すように、第２回転体５４の内周面のうち第１磁性体ユニット７１ａの入賞不能位置７５ｂに対向する位置（両回転体５３，５４の半径方向に沿って重なり得る位置）に第１当接片８４ａを配置し、この第１当接片８４ａが第１磁性体ユニット７１ａの入賞不能位置７５ｂの近傍、詳しくは入賞不能位置７５ｂよりも第２回転体５４側を通過できるように構成されている。また、第１磁性体ユニット７１ａの入賞可能位置７５ａに対向する位置（両回転体５３，５４の半径方向に沿って重なり得る位置）、且つ第１回転モータ６５側（図１１中、左側）から見て第１当接片８４ａから時計方向へ略９０度位相をずらした位置に第２当接片８４ｂを配置し（図１２（ａ）および図１３（ａ）参照）、この第２当接片８４ｂが第１磁性体ユニット７１ａの入賞可能位置７５ａの近傍、詳しくは入賞可能位置７５ａよりも第２回転体５４側を通過できるように構成されている。
【００６１】
さらに、第２磁性体ユニット７１ｂの入賞不能位置７５ｂに対向する位置（両回転体５３，５４の半径方向に沿って重なり得る位置）、且つ第１回転モータ６５側（図１１中、左側）から見て第１当接片８４ａから時計方向へ略１８０度位相をずらした位置に第３当接片８４ｃを配置し、この第３当接片８４ｃが第２磁性体ユニット７１ｂの入賞不能位置７５ｂの近傍、詳しくは入賞不能位置７５ｂよりも第２回転体５４側を通過できるように構成されている。そして、第２磁性体ユニット７１ｂの入賞可能位置７５ａに対向する位置（両回転体５３，５４の半径方向に沿って重なり得る位置）、且つ第１回転モータ６５側（図１１中、左側）から見て第１当接片８４ａから時計方向へ略２７０度位相をずらした位置に第４当接片８４ｄを配置し、この第４当接片８４ｄが第２磁性体ユニット７１ｂの入賞可能位置７５ａの近傍、詳しくは入賞可能位置７５ａよりも第２回転体５４側を通過できるように構成されている。
【００６２】
このような構成の当接片（位置変更作用部）８４を備え、第１回転モータ６０および第２回転モータ６５を駆動して、第１回転体５３を外周面の前側部分（言い換えると一般入賞領域３１側）が上方へ移動する状態で回転するとともに、第２回転体５４を外周面の前側部分（一般入賞領域３１側）が下方へ移動する状態で回転すると、この回転動作に伴って磁性体７０と当接片８４との距離を異ならせ、磁性体７０の側方に当接片８４を通過させることができる。そして、第１当接片８４ａが入賞不能位置７５ｂに配置された磁性体７０の側方を通過すると、図１２（ｂ）に示すように、第１当接片８４ａの当接面８６が磁性体７０を押圧し、この押圧力により入賞可能位置７５ａへ移動させる。また、第２当接片８４ｂが入賞可能位置７５ａに配置された磁性体７０の側方を通過すると、図１３（ｂ）に示すように、第２当接片８４ｂの当接面８６が磁性体７０を押圧し、この押圧力により入賞可能位置７５ａへ移動させる。さらに、第３当接片８４ｃが入賞不能位置７５ｂに配置された磁性体７０の側方を通過すると、第３当接片８４ｃの当接面８６が磁性体７０を押圧し、この押圧力により入賞可能位置７５ａへ移動させる。また、第４当接片８４ｄが入賞可能位置７５ａに配置された磁性体７０の側方を通過すると、第４当接片８４ｄの当接面８６が磁性体７０を押圧し、この押圧力により入賞可能位置７５ａへ移動させる。このようにして、当接片８４で構成した位置変更作用部であっても、磁性体７０の収納位置を入賞可能位置７５ａと入賞不能位置７５ｂとに変更することができる。したがって、磁性体７０の磁力の強弱に拘らず磁性体７０の位置を変更することができる。また、第２回転体５４の重量を抑えることができ、第２回転モータ６５の負荷を軽減して第２回転体５４がスムーズに回転できるようにすることができる。
【００６３】
なお、図１４に示すように、２つの当接片８４を第２回転体５４の内周面に回転方向に沿って並べた状態で設けるとともに、各当接片８４の回転先端８５を互いに反対方向へ向けた姿勢に設定すれば、第２回転体５４を正転しても逆転しても磁性体７０を押圧して入賞可能位置７５ａに移動したり入賞不能位置７５ｂに移動したりすることができて好適である。
【００６４】
また、上記実施形態では、２つの磁性体ユニットと４つの位置変更作用部を備えたが、本発明はこれに限定されない。遊技球を磁力により吸着する磁性体ユニットと、この磁性体ユニットの磁性体を入賞可能位置と入賞不能位置とに変更可能な位置変更作用部を備えていれば、磁性体ユニットの個数および位置変更作用部の個数を幾つに設定してもよい。
【００６５】
なお、前記した実施の形態は全ての点で例示であって制限的なものではないと考えられるべきである。本発明は、上記した説明に限らず特許請求の範囲によって示され、特許請求の範囲と均等の意味及び範囲内での全ての変更が含まれるものである。
【図面の簡単な説明】
【００６６】
【図１】遊技盤の正面図である。
【図２】変動入賞装置の正面図である。
【図３】変動入賞装置の斜視図である。
【図４】変動入賞装置の断面図である。
【図５】誘導装置およびその周辺の構成要素の斜視図である。
【図６】誘導装置の分解斜視図である。
【図７】（ａ）は第１回転モータ側から見た誘導装置の側面図、（ｂ）は（ａ）のＡ−Ａ断面図である。
【図８】（ａ）は第１回転モータ側から見た誘導装置の側面図、（ｂ）は（ａ）のＢ−Ｂ断面図である。
【図９】変動入賞装置内を移動する遊技球の挙動の説明図であり、（ａ）は可動部材に受け入れられてから球転動部上および一般入賞領域上に到達する状態の説明図、（ｂ）は誘導装置に吸着される状態の説明図、（ｃ）は一般入賞領域へ入賞する状態の説明図である。
【図１０】第２実施形態における誘導装置の部分断面図である。
【図１１】第３実施形態における第２回転体の斜視図である。
【図１２】第３実施形態における誘導装置の説明図であり、（ａ）は第１当接片を磁性体に当接した状態の側面図、（ｂ）は（ａ）のＥ−Ｅ断面図である。
【図１３】第３実施形態における誘導装置の説明図であり、（ａ）は第２当接片を磁性体に当接した状態の側面図、（ｂ）は（ａ）のＦ−Ｆ断面図である。
【図１４】当接片の変形例の概略図である。
【符号の説明】
【００６７】
１  遊技盤
４  変動入賞装置
５  第１始動入賞口
６  第２始動入賞口
１３  取付基板
１５  凹室
２０  可動部材
２４  導入空間部
２５  流入空間部
２６  連通流路
３０  球転動部
３１  一般入賞領域
３２  特定入賞領域
３３  誘導装置
３６  入賞開口部
３８  開閉部材
４０  移動入賞部
４３  移動機構
４９  球回収路
５３  第１回転体
５４  第２回転体
５５  吸着機構
５８  第１回転軸
６４  第２回転軸
７０  磁性体
７１  磁性体ユニット
７１ａ  第１磁性体ユニット
７１ｂ  第２磁性体ユニット
７２  位置変更作用部
７２ａ  第１位置変更作用部
７２ｂ  第２位置変更作用部
７２ｃ  第３位置変更作用部
７２ｄ  第４位置変更作用部
７４  磁性体収納部
７５  凹部
７５ａ  入賞可能位置
７５ｂ  入賞不能位置
７７  作用収納部
７８  吸着部材
８４  当接片
８６  当接面
【図１】
2008079681.tif 000003
【図２】
2008079681.tif 000004
【図３】
2008079681.tif 000005
【図４】
2008079681.tif 000006
【図５】
2008079681.tif 000007
【図６】
2008079681.tif 000008
【図７】
2008079681.tif 000009
【図８】
2008079681.tif 000010
【図９】
2008079681.tif 000011
【図１０】
2008079681.tif 000012
【図１１】
2008079681.tif 000013
【図１２】
2008079681.tif 000014
【図１３】
2008079681.tif 000015
【図１４】
2008079681.tif 000016